【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
ディジタル・コンテンツを修正する方法であって、前記方法は、コンテンツ処理装置において、
前記ディジタル・コンテンツを受信する工程と、
指紋算出手法を使用して前記ディジタル・コンテンツについて算出された第１の指紋を受信する工程と、
前記ディジタル・コンテンツの少なくとも１つの修正限界値を受信する工程であって、前記少なくとも１つの修正限界値が前記ディジタル・コンテンツ、第１のディジタル指紋、及び少なくとも１つの修正規則から算出されており、前記ディジタル・コンテンツ、前記第１のディジタル指紋、及び少なくとも１つの修正限界値が関連付けられる工程と、
修正されたディジタル・コンテンツを得るよう前記ディジタル・コンテンツを修正する工程と、
前記指紋算出手法を使用して、前記修正されたディジタル・コンテンツについて第２の指紋を算出する工程と、
前記第１の指紋と前記第２の指紋との間の差を、前記少なくとも１つの修正限界値と比較する工程と、
前記差が前記少なくとも１つの修正限界値の限界内にない場合、前記ディジタル・コンテンツが、認可されていない修正を受けていると判定する工程と、
前記コンテンツが、認可されていない修正を受けていないとの判定により、前記修正されたディジタル・コンテンツをエキスポートする工程と
を含む方法。
【請求項２】
請求項１記載の方法であって、前記ディジタル・コンテンツをエキスポートする工程は、前記ディジタル・コンテンツを送出する動作、及び、前記ディジタル・コンテンツを保存する動作の群から選ばれる動作を含む方法。
【請求項３】
請求項１記載の方法であって、前記第１の指紋と前記第２の指紋との間の差は、Ｌ１ノルム、Ｌ２ノルム、及び相互相関の群から選ばれる関数を使用して算出される方法。
【請求項４】
請求項１記載の方法であって、前記ディジタル・コンテンツは少なくとも１つの画像を備える方法。
【請求項５】
請求項４記載の方法であって、前記ディジタル・コンテンツはビデオ・コンテンツを備える方法。
【請求項６】
請求項１記載の方法であって、前記コンテンツが、認可されていない修正を受けていると判定された場合、前記ディジタル・コンテンツを消去する工程を更に備える方法。
【請求項７】
ディジタル・コンテンツをレンダリングする方法であって、前記方法は、コンテンツ・レンダリング装置において、
前記ディジタル・コンテンツを受信する工程と、
指紋算出手法を使用して前記ディジタル・コンテンツについて算出された第１の指紋を受信する工程と、
前記ディジタル・コンテンツの少なくとも１つの修正限界値を受信する工程であって、前記少なくとも１つの修正限界値が前記ディジタル・コンテンツ、第１のディジタル指紋、及び少なくとも１つの修正規則から算出されており、前記ディジタル・コンテンツ、前記第１のディジタル指紋、及び少なくとも１つの修正限界値が関連付けられる工程と、
前記指紋算出手法を使用して、前記受信されたディジタル・コンテンツについて第２の指紋を算出する工程と、
前記第１の指紋と前記第２の指紋との間の差を、前記少なくとも１つの修正限界値と比較する工程と、
前記差が前記少なくとも１つの修正限界値の限界内にない場合、前記ディジタル・コンテンツが、認可されていない修正を受けていると判定する工程と、
前記コンテンツが、認可されていない修正を受けていないとの判定により、前記ディジタル・コンテンツをレンダリングする工程と
を含む方法。
【請求項８】
ディジタル・コンテンツを修正するコンテンツ処理装置であって、前記装置は、
前記ディジタル・コンテンツ、
指紋算出手法を使用して前記ディジタル・コンテンツについて算出される第１の指紋、及び
前記ディジタル・コンテンツの少なくとも１つの限界値
を受信するよう適合された少なくとも１つの入力インタフェースであって、前記少なくとも１つの修正限界値が前記ディジタル・コンテンツ、第１のディジタル指紋、及び少なくとも１つの修正規則から算出されており、前記ディジタル・コンテンツ、前記第１のディジタル指紋、及び少なくとも１つの修正限界値が関連付けられる少なくとも１つの入力インタフェースと、
修正されたディジタル・コンテンツを得るよう前記ディジタル・コンテンツを修正する機能と、
前記指紋算出手法を使用して、前記修正されたディジタル・コンテンツについて第２の指紋を算出する機能と
を行うよう適合されたプロセッサと、
前記第１の指紋と第２の指紋との間の差を、前記少なくとも１つの修正限界値と比較する機能と、
前記差が前記少なくとも１つの修正限界値の限界内にない場合、前記コンテンツが、認可されていない修正を受けていると判定する機能と、
前記コンテンツが、認可されていない修正を受けていないとの判定により、前記修正されたディジタル・コンテンツのエキスポートを可能にする機能と
を行うよう適合された行使装置と、
前記修正されたディジタル・コンテンツをエキスポートするよう適合された出力インタフェースと
を備えるコンテンツ処理装置。
【請求項９】
請求項８記載の装置であって、前記ディジタル・コンテンツをエキスポートするよう適合された少なくとも１つの出力インタフェースを更に備え、前記プロセッサは、前記コンテンツが、認可されていない修正を受けていないとの判定後にのみ、前記少なくとも１つの出力インタフェースを介して前記ディジタル・コンテンツをエキスポートするよう適合される装置。
【請求項１０】
請求項８記載の装置であって、前記少なくとも１つの入力装置は、ポータブル・セキュリティ・モジュールの読取器を備える装置。
【請求項１１】
ディジタル・コンテンツをレンダリングするコンテンツ・レンダリング装置であって、前記装置は、
前記ディジタル・コンテンツ、
指紋算出手法を使用して前記ディジタル・コンテンツについて算出される第１の指紋、及び
前記ディジタル・コンテンツの少なくとも１つの修正限界値
を受信する手段であって、前記少なくとも１つの修正限界値が前記ディジタル・コンテンツ、第１のディジタル指紋、及び少なくとも１つの修正規則から算出されており、前記ディジタル・コンテンツ、前記第１のディジタル指紋、及び前記少なくとも１つの修正限界値が関連付けられる、受信する手段と、
前記指紋算出手法を使用して、前記受信されたディジタル・コンテンツについて第２の指紋を算出するよう適合されたプロセッサと、
前記第１の指紋と前記第２の指紋との間の差を、前記少なくとも１つの修正限界値と比較する機能と、
前記差が前記少なくとも１つの修正限界値の限界内にない場合、レンダリングを可能にする機能と
を行うよう適合された行使装置と、
前記ディジタル・コンテンツをレンダリングする手段と
を備えるコンテンツ処理装置。
【請求項１２】
ディジタル・コンテンツを送出するコンテンツ・プロバイダ装置であって、
指紋算出手法を使用して前記ディジタル・コンテンツの指紋を算出し、前記ディジタル・コンテンツに対する修正が可能な限界を表す少なくとも１つの修正限界値を算出する機能であって、前記少なくとも１つの修正限界値が前記ディジタル・コンテンツ、第１のディジタル指紋、及び少なくとも１つの修正規則から算出されている機能と、
前記ディジタル・コンテンツ、前記第１のディジタル指紋、及び前記少なくとも１つの修正限度値を関連付ける機能と
を行うよう適合されたプロセッサと、
前記ディジタル・コンテンツ、前記ディジタル・コンテンツについての指紋、及び前記少なくとも１つの修正限度値を出力するよう適合された少なくとも１つのインタフェースと
を備えるコンテンツ・プロバイダ装置。